(57)【要約】【課題】端子間のショートが発生し難いコネクタを提供する。【解決手段】開口部１１を有するハウジング１０と、ハウジング１０内に少なくとも一部が配置された絶縁部材２０と、絶縁部材２０に保持された複数の端子３０とを備え、絶縁部材２０は、ハウジング１０に保持される本体部２１と、本体部２１の壁面２５から開口部１１に向かって突出する平板状の突出部２６とを有し、突出部２６の少なくとも一方の板面が、端子３０が露出する端子露出面２７となっているコネクタ１であって、複数の端子３０のうちの少なくとも１つは、端子露出面２７の壁面２５側の端部（後端部２７ａ）付近において端子３０の一部が突出部２６の内部に埋設されるように屈曲した屈曲端子３０ａとなっていることを特徴とする。【選択図】図４
2017037724.tif 000002
【特許請求の範囲】
【請求項１】
開口部を有するハウジングと、前記ハウジング内に少なくとも一部が配置された絶縁部材と、前記絶縁部材に保持された複数の端子とを備え、
前記絶縁部材は、前記ハウジングに保持される本体部と、前記本体部の壁面から前記開口部に向かって突出する平板状の突出部とを有し、
前記突出部の少なくとも一方の板面が、前記端子が露出する端子露出面となっているコネクタであって、
前記複数の端子のうちの少なくとも１つは、前記端子露出面の前記壁面側の端部付近において前記端子の一部が前記突出部の内部に埋設されるように屈曲した屈曲端子となっていることを特徴とするコネクタ。
【請求項２】
前記屈曲端子は、
前記端子露出面に露出するように前記突出部に配設され、前記端子露出面の前記壁面側の端部付近から前記突出部の突出方向に沿って延出する接点部と、
前記本体部に配設され、前記端子露出面の前記壁面側の端部付近から前記接点部の延出方向とは反対の方向に延出する延出部と、
前記接点部の前記壁面側の端部と前記延出部の前記壁面側の端部とを連結する屈曲部とを有し、
前記屈曲部が、前記端子露出面の前記壁面側の端部付近において前記突出部の内部に埋設されるように屈曲していることを特徴とする請求項１に記載のコネクタ。
【請求項３】
前記屈曲部は、
前記接点部の前記壁面側の端部から延出すると共に、前記突出部の内部に向かってなだらかに傾斜しながら前記本体部側に延びる第１傾斜部と、
前記延出部の前記壁面側の端部から延出すると共に、前記突出部の内部に向かってなだらかに傾斜しながら前記突出部側に延びる第２傾斜部とを有していることを特徴とする請求項２に記載のコネクタ。
【請求項４】
前記複数の端子は、電源端子を含み、
前記電源端子が前記屈曲端子となっていることを特徴とする請求項１ないし請求項３のいずれかに記載のコネクタ。
【請求項５】
前記複数の端子は、高周波信号を伝送するための信号端子を含み、
前記信号端子は、前記端子露出面の前記壁面側の端部付近において端子が屈曲していない非屈曲端子となっていることを特徴とする請求項１ないし請求項４のいずれかに記載のコネクタ。
【請求項６】
前記本体部には、前記端子露出面の前記壁面側の端部と近接するように接地電極が配設されていることを特徴とする請求項１ないし請求項５のいずれかに記載のコネクタ。
【発明の詳細な説明】
【技術分野】
【０００１】
本発明は、コネクタに関し、特に、端子間のショートが発生し難いコネクタに関する。
【背景技術】
【０００２】
パーソナルコンピュータや携帯情報端末等の電子機器に搭載されるコネクタとして、ＵＳＢ（Ｕｎｉｖｅｒｓａｌ  Ｓｅｒｉａｌ  Ｂｕｓ）規格に対応したＵＳＢコネクタと呼ばれるコネクタが普及している。このような規格に対応した従来のコネクタに関しては、特許文献１等が開示されている。以下、従来のコネクタの構成について、図６を用いて説明する。図６は、特許文献１に係る従来のコネクタ１００の構成を示している。
【０００３】
図６に示すコネクタ１００は、図示しない電子機器に搭載されるＵＳＢ規格に対応したコネクタであり、図示しない相手側のコネクタが取外し自在に接続されるようになっている。コネクタ１００は、複数の電気良導電性のコンタクト１０３（端子）と、これらのコンタクト１０３を保持する絶縁ハウジング１０４（絶縁部材）と、開口１０１ａ（開口部）を有し絶縁ハウジング１０４を収容するシールドケース１０１（ハウジング）とを備えている。
【０００４】
コンタクト１０３は、相手側のコネクタと電気的に接続される接点部１０３ａと、絶縁ハウジング１０４に固定される固定部１０３ｂと、回路配線基板Ｐに接続される接続部１０３ｃとを有している。絶縁ハウジング１０４は、シールドケース１０１に保持されたハウジング本体部１０５と、ハウジング本体部１０５から突出する平板状の突出部である接点支持部１０６とを有している。ハウジング本体部１０５には、コンタクト１０３の固定部１０３ｂが埋設されている。また、ハウジング本体部１０５は、開口１０１ａ側を向いた壁面１０５ａを有している。接点支持部１０６は、壁面１０５ａから開口１０１ａに向かって突出している。そして、コンタクト１０３の接点部１０３ａは、接点支持部１０６の一方の板面１０６ａ（端子露出面）に露出して接点支持部１０６の突出方向に沿って延びている。
【０００５】
また、コネクタ１００は、パッキン１０７や補強部材１０８や防水部材１０９等と共に回路配線基板Ｐに取り付けられている。そして、開口１０１ａからハウジング本体部１０５の壁面１０５ａに向かって相手側のコネクタが差し込まれ、コンタクト１０３の接点部１０３ａが図示しない相手側のコネクタの接点部と接触して、コネクタ１００と相手側のコネクタとの電気的な接続がなされる。尚、図６では、コンタクト１０３の接点部１０３ａが接点支持部１０６の下側の板面に露出しているように描写されているが、コネクタ１００が搭載される電子機器のデザインによっては、接点部１０３ａが接点支持部１０６の上側の板面に露出するように上下を逆転、或いは開口１０１ａが上側を向くようにコネクタ１００を搭載する事も考えられる。
【先行技術文献】
【特許文献】
【０００６】
【特許文献１】特開２０１２−９３５８号公報
【発明の概要】
【発明が解決しようとする課題】
【０００７】
特許文献１に係る従来のコネクタ１００では、シールドケース１０１の開口１０１ａからハウジング本体部１０５の壁面１０５ａに向かって相手側のコネクタを差し込む際に、外部から持ち込まれた埃が押し込まれ、コーナである接点支持部１０６の壁面１０５ａ側の端部付近に溜まり易い構造となっている。特に、コネクタ１００の接点部１０３ａが接点支持部１０６の上側の板面に露出するように搭載される場合や、相手側コネクタと壁面１０５ａの間の隙間が小さい場合には、より埃がたまり易くなる。そして、接点支持部１０６の壁面１０５ａ側の端部に溜まった埃が、接点支持部１０６の一方の板面１０６ａに露出する隣り合うコンタクト１０３の接点部１０３ａに跨るように接触して、隣接するコンタクト１０３の間でショートが発生する可能性が有った。このような埃を介したコンタクト１０３の間のショートは、湿度の高い環境でコネクタ１００を使用する場合に特に発生し易くなる。
【０００８】
本発明は、このような従来技術の実情に鑑みてなされたもので、その目的は、端子間のショートが発生し難いコネクタを提供することにある。
【課題を解決するための手段】
【０００９】
この課題を解決するために、請求項１に記載のコネクタは、開口部を有するハウジングと、前記ハウジング内に少なくとも一部が配置された絶縁部材と、前記絶縁部材に保持された複数の端子とを備え、前記絶縁部材は、前記ハウジングに保持される本体部と、前記本体部の壁面から前記開口部に向かって突出する平板状の突出部とを有し、前記突出部の少なくとも一方の板面が、前記端子が露出する端子露出面となっているコネクタであって、前記複数の端子のうちの少なくとも１つは、前記端子露出面の前記壁面側の端部付近において前記端子の一部が前記突出部の内部に埋設されるように屈曲した屈曲端子となっていることを特徴とする。
【００１０】
この構成のコネクタでは、複数の端子のうちの少なくとも１つは、端子露出面の壁面側の端部付近において端子の一部が突出部の内部に埋設されるように屈曲した屈曲端子となっているので、端子露出面の壁面側の端部に溜まった埃が屈曲端子と接触するのを避けることができる。そして、端子露出面の壁面側の端部に溜まった埃が屈曲端子と接触するのを避けることによって、端子露出面の壁面側の端部に溜まった埃を介して端子間のショートが発生するのを抑制することができるようになる。その結果、端子間のショートを発生し難くすることができる。
【００１１】
請求項２に記載のコネクタは、前記屈曲端子は、前記端子露出面に露出するように前記突出部に配設され、前記端子露出面の前記壁面側の端部付近から前記突出部の突出方向に沿って延出する接点部と、前記本体部に配設され、前記端子露出面の前記壁面側の端部付近から前記接点部の延出方向とは反対の方向に延出する延出部と、前記接点部の前記壁面側の端部と前記延出部の前記壁面側の端部とを連結する屈曲部とを有し、前記屈曲部が、前記端子露出面の前記壁面側の端部付近において前記突出部の内部に埋設されるように屈曲していることを特徴とする。
【００１２】
この構成のコネクタでは、屈曲端子における端子の屈曲の区間を接点部の壁面側の端部から延出部の壁面側の端部までの区間に限定することができる。そして、端子の屈曲の区間を限定することによって、端子の屈曲に伴うインピーダンス等の電気特性の変化を抑制することができ、電気信号の伝送特性を安定させ易くなる。
【００１３】
請求項３に記載のコネクタは、前記屈曲部は、前記接点部の前記壁面側の端部から延出すると共に、前記突出部の内部に向かってなだらかに傾斜しながら前記本体部側に延びる第１傾斜部と、前記延出部の前記壁面側の端部から延出すると共に、前記突出部の内部に向かってなだらかに傾斜しながら前記突出部側に延びる第２傾斜部とを有していることを特徴とする。
【００１４】
この構成のコネクタでは、屈曲端子における端子の屈曲を第１傾斜部と第２傾斜部によって緩やかにすることができる。そして、端子の緩やかな屈曲は曲げ加工等によって容易に実現することができるので、屈曲端子の加工が容易になる。また、端子の屈曲を緩やかにすることによって、端子の屈曲に伴うインピーダンス等の電気特性の急激な変化を抑制することができ、電気信号の伝送特性を更に安定させ易くなる。
【００１５】
請求項４に記載のコネクタは、前記複数の端子は、電源端子を含み、前記電源端子が前記屈曲端子となっていることを特徴とする。
【００１６】
通常、電源端子には、他の端子と比較して高い電圧が印加されるが、この構成のコネクタでは、電源端子が屈曲端子となっているので、端子露出面の壁面側の端部に溜まった埃が電源端子と接触するのを避けることができる。そして、端子露出面の壁面側の端部に溜まった埃が電源端子と接触するのを避けることによって、端子露出面の壁面側の端部に溜まった埃を介して電源端子と他の端子との間でショートが発生するのを抑制することができる。
【００１７】
請求項５に記載のコネクタは、前記複数の端子は、高周波信号を伝送するための信号端子を含み、前記信号端子は、前記端子露出面の前記壁面側の端部付近において端子が屈曲していない非屈曲端子となっていることを特徴とする。
【００１８】
この構成のコネクタでは、信号端子は、端子露出面の壁面側の端部付近において端子が屈曲していない非屈曲端子となっているので、端子の屈曲に伴うインピーダンス等の電気特性の変化を避けることができ、高周波信号の伝送特性を安定させ易くなる。
【００１９】
請求項６に記載のコネクタは、前記本体部には、前記端子露出面の前記壁面側の端部と近接するように接地電極が配設されていることを特徴とする。
【００２０】
この構成のコネクタでは、複数の端子のうちの少なくとも１つは、端子露出面の壁面側の端部付近において端子の一部が突出部の内部に埋設されるように屈曲した屈曲端子となっているので、端子露出面の壁面側の端部と近接するように接地電極が配設されていても、屈曲端子と接地電極との間のマイグレーションを発生し難くすることができる。そのため、このような屈曲端子の構造は、端子露出面の壁面側の端部と近接するように接地電極が配設されている場合に好適である。
【発明の効果】
【００２１】
本発明によれば、端子間のショートが発生し難いコネクタを提供することができる。
【図面の簡単な説明】
【００２２】
【図１】本発明の実施形態に係るコネクタの構成を示す斜視部である。
【図２】本発明の実施形態に係る絶縁部材の構成を示す斜視部である。
【図３】本発明の実施形態に係るコネクタの端子配列を示す説明図である。
【図４】本発明の実施形態に係る屈曲端子の構造を示す断面模式図である。
【図５】本発明の実施形態に係る非屈曲端子の構造を示す断面模式図である。
【図６】従来のコネクタの構成を示す説明図である。
【発明を実施するための形態】
【００２３】
以下、本発明の実施形態について図１ないし図５を参照しながら説明する。図１は、本発明の実施形態に係るコネクタ１の構成を示す斜視部である。図２は、本発明の実施形態に係る絶縁部材２０の構成を示す斜視部である。図３は、本発明の実施形態に係るコネクタ１の端子配列を示す説明図である。図３は、絶縁部材２０を上から見た場合の模式図となっている。
【００２４】
図４は、本発明の実施形態に係る屈曲端子３０ａの構造を示す断面模式図である。図４（ａ）は、図３のＡ１−Ａ１断面に対応した断面模式図であり、図４（ｂ）は、図４（ａ）における第２段差部２４及び突出部２６の部分を拡大した断面模式図である。図５は、本発明の実施形態に係る非屈曲端子３０ｂの構造を示す断面模式図である。図５（ａ）は、図３のＡ２−Ａ２断面に対応した断面模式図であり、図５（ｂ）は、図５（ａ）における第２段差部２４及び突出部２６の部分を拡大した断面模式図である。
【００２５】
尚、各図における方向は、Ｘ１を左、Ｘ２を右、Ｙ１を前、Ｙ２を後、Ｚ１を上、Ｚ２を下とする。また、本発明に係る端子構造を判り易くするために、コネクタ１の各部材の構造を適宜簡略化し、また、コネクタ１の各部材の寸法を適宜変更している。
【００２６】
まず、本発明の実施形態に係るコネクタ１の構成について説明する。本発明の実施形態に係るコネクタ１は、パーソナルコンピュータや携帯情報端末等の図示しない電子機器（以下、コネクタ１側の電子機器と略称）と、コネクタ１側の電子機器以外の他の電子機器（以下、相手側の電子機器と略称）とを電気的に接続するために使用される、ＵＳＢ（Ｕｎｉｖｅｒｓａｌ  Ｓｅｒｉａｌ  Ｂｕｓ）規格に対応したレセプタクルタイプのコネクタである。
【００２７】
コネクタ１は、図１及び図２に示すように、ハウジング１０と、ハウジング１０の内部に配置された絶縁部材２０と、絶縁部材２０に保持された複数の端子３０と、絶縁部材２０の所定の位置に配設された複数の接地電極５０とを備えている。
【００２８】
ハウジング１０は、金属等の導電性の材質でできた部材であり、図１に示すように、前端部に設けられた開口部１１と、開口部１１から後方に凹となる凹部である収容部１２とを有している。収容部１２には絶縁部材２０が収容されている。
【００２９】
絶縁部材２０は、合成樹脂等の絶縁性の材質でできた部材であり、図２及び図３に示すように、ハウジング１０に保持される本体部２１と、本体部２１から突出する平板状の突出部２６とを有している。本体部２１は、ハウジング１０と嵌合する部分である被保持部２２と、被保持部２２の前端部から前方に突出する第１段差部２３と、第１段差部２３の前端部から更に前方に突出する第２段差部２４とを有して構成される。そして、ハウジング１０の収容部１２を画成する内壁と本体部２１の被保持部２２との嵌合によって絶縁部材２０がハウジング１０に保持されている。
【００３０】
また、第２段差部２４は、前端部に壁面２５を有しており、突出部２６は、図２に示すように、壁面２５から開口部１１に向かうように前方に突出している。また、突出部２６は、２つの板面である上面と下面とを有している。そして、突出部２６の上面は、端子３０が露出する端子露出面２７となり、突出部２６の下面は、端子３０が露出する端子露出面２８となっている。端子露出面２７の後端部２７ａは、図３に示すように、端子露出面２７の壁面２５側の端部となっている。
【００３１】
尚、端子露出面２７に関する端子３０と、端子露出面２８に関する端子３０とでは、本発明の特徴となる端子構造に大きな違いが無いので、以下の端子３０の説明では、端子露出面２７に関する端子３０の構造についてのみ説明を行い、端子露出面２８に関する端子３０の構造については説明を省略する。
【００３２】
端子３０は、金属等の材質でできた細長い導電性の部材を折り曲げ加工してできた部材であり、コネクタ１側の電子機器が備える図示しない電子回路（以下、コネクタ１側の電子回路と略称）と、相手側の電子機器に接続された図示しないコネクタ（以下、相手側のコネクタと略称）とを電気的に接続するためのものである。
【００３３】
複数の端子３０には、図３ないし図５に示すように、所定の位置において端子３０の一部が屈曲した屈曲端子３０ａと、所定の位置において端子３０が屈曲していない非屈曲端子３０ｂとが含まれる。本実施形態では、複数の端子３０のうちの電源端子３１と接地端子３３とが屈曲端子３０ａとなり、信号端子３２が非屈曲端子３０ｂとなっている。屈曲端子３０ａ及び非屈曲端子３０ｂの詳細な端子構造は、以下の通りである。
【００３４】
屈曲端子３０ａは、図４に示すように、端子露出面２７に露出するように突出部２６に配設された接点部４１と、接点部４１の後方に位置するように本体部２１に埋設された（配設された）延出部４２と、ハウジング１０から外部に露出する端子部４３と、接点部４１と延出部４２との間に介在する屈曲部４４と、延出部４２と端子部４３との間に介在する連結部４５とを有して構成される。
【００３５】
接点部４１は、相手側のコネクタと電気的に接続される部分であり、端子露出面２７の後端部２７ａ（壁面２５側の端部）よりも少しだけ前寄りの位置から前方に（突出部２６の突出方向に沿って）延出している。接点部４１の後端部４１ａは、接点部４１の壁面２５側の端部となっている。延出部４２は、端子露出面２７の後端部２７ａよりも少しだけ後寄りの位置から後方（接点部４１の延出方向と反対の方向）に延出している。延出部４２の前端部４２ａは、延出部４２の壁面２５側の端部となっている。端子部４３は、コネクタ１側の電子回路と電気的に接続される部分であり、本体部２１の下端部から下方に突出してハウジング１０から外部に露出している。
【００３６】
屈曲部４４は、接点部４１と延出部４２とを屈曲しながら連結する部分である。本実施形態では、屈曲部４４は、接点部４１の後端部４１ａから延出する第１傾斜部４４ａと、延出部４２の前端部４２ａから延出する第２傾斜部４４ｂと、第１傾斜部４４ａと第２傾斜部４４ｂとを連結する連結部４４ｃとを有して構成される。
【００３７】
第１傾斜部４４ａは、接点部４１の後端部４１ａから延出すると共に、接点部４１の後端部４１ａ付近からなだらかに下方に傾斜しながら後方（本体部２１側）に延びており、第１傾斜部４４ａが、端子露出面２７の後端部２７ａ付近において突出部２６に埋設されるように屈曲した部分となる。第１傾斜部４４ａのなだらかな下方への傾斜とは、図４（ｂ）に示すような第１傾斜部４４ａの下方への傾斜角度θ（接点部４１の延長方向を基準とした場合の第１傾斜部４４ａの延長方向の傾斜角度）が６０°未満（好ましくは３０°未満）であるような傾斜であることを意味している。
【００３８】
第２傾斜部４４ｂは、延出部４２の前端部４２ａから延出すると共に、延出部４２の前端部４２ａ付近においてなだらかに下方に傾斜しながら前方（突出部２６側）に延びている。第２傾斜部４４ｂのなだらかな下方への傾斜とは、第２傾斜部４４ｂの下方への傾斜角度（延出部４２の延長方向を基準とした場合の第２傾斜部４４ｂの延長方向の傾斜角度）が６０°未満（好ましくは３０°未満）であるような傾斜であることを意味している。
【００３９】
連結部４４ｃは、第１傾斜部４４ａの後端部から後方に延出して、第１傾斜部４４ａの後端部と第２傾斜部４４ｂの前端部とを連結している。また、連結部４５は、延出部４２の後端部から屈曲しながら延出して、延出部４２の後端部と端子部４３とを連結している。屈曲端子３０ａは、このように端子露出面２７の後端部２７ａ付近において端子３０の一部が突出部２６に埋設されるように屈曲した端子構造となっている。
【００４０】
非屈曲端子３０ｂは、図５に示すように、突出部２６に配設された接点部４１と、本体部２１に配設された延出部４２と、ハウジング１０から外部に露出する端子部４３と、延出部４２と端子部４３との間に介在する連結部４５とを有して構成される。そして、非屈曲端子３０ｂでは、接点部４１は、壁面２５の前端部から前方に延出し、延出部４２は、接点部４１の後端部４１ａから直接後方に延出している。非屈曲端子３０ｂは、このように接点部４１の後端部４１ａ付近において端子３０が屈曲しない端子構造となっている。
【００４１】
尚、非屈曲端子３０ｂにおける端子部４３及び連結部４５の構造は、屈曲端子３０ａにおける端子部４３及び連結部４５の構造と同様の構造となっている。
【００４２】
接地電極５０は、金属等の材質でできた接地用の電極であり、端子３０のインピーダンス等の電気特性を安定化させたり、外部からの電磁波ノイズを減衰させたりするために用いられる。複数の接地電極５０には、図２ないし図５に示すように、第１接地電極５１と、第２接地電極５２とが含まれる。
【００４３】
第１接地電極５１は、端子露出面２７の後端部２７ａと近接するように第２段差部２４の外周部に配設されている。第２接地電極５２は、突出部２６の内部に埋設されて端子３０の接点部４１や延出部４２と対向するように前後方向に延びている。そして、本実施形態では、端子３０の延出部４２と第１接地電極５１との距離や、端子３０の接点部４１や延出部４２と第２接地電極５２との距離に対応して、端子３０のインピーダンス等の電気特性が設定される。
【００４４】
尚、図４及び図５に示すように、第２接地電極５２の一部が突出部２６の前端部に露出していても構わない。このような接地電極の形成方法は本発明とは直接関係無いので詳細な説明は省略する。また、ハウジング１０の外周部には、図１に示すように、ゴム等の材質でできた防水性を向上させるための部材である防水部材６０が取り付けられているが、本発明とは直接関係無いので詳細な説明は省略する。コネクタ１は、このような構成となっている。
【００４５】
そして、コネクタ１のハウジング１０がコネクタ１側の電子機器の図示しない回路基板に取り付けられ、コネクタ１の端子部４３がコネクタ１側の電子回路と電気的に接続されて、コネクタ１がコネクタ１側の電子機器のコネクタとして機能するようになる。
【００４６】
そして、ハウジング１０の開口部１１から絶縁部材２０の壁面２５に向かって相手側のコネクタが差し込まれて、相手側のコネクタに設けられた図示しない接点部がコネクタ１の接点部４１と接触する。その結果、コネクタ１側の電子機器と相手側の電子機器とが、コネクタ１と相手側のコネクタとを介して電気的に接続される。
【００４７】
次に、本実施形態の効果について説明する。本実施形態のコネクタ１では、複数の端子３０のうちの電源端子３１と接地端子３３とが、端子露出面２７の後端部２７ａ（壁面２５側の端部）付近において端子３０の一部が突出部２６の内部に埋設されるように屈曲した屈曲端子３０ａとなっている。そのため、端子露出面２７の後端部２７ａと壁面２５とで画成されるコーナに溜まった埃が屈曲端子３０ａと接触するのを避けることができる。そして、端子露出面２７の後端部２７ａに溜まった埃が屈曲端子３０ａと接触するのを避けることによって、端子露出面２７の後端部２７ａに溜まった埃を介して端子３０間のショートが発生するのを抑制することができるようになる。その結果、端子３０間のショートを発生し難くすることができる。
【００４８】
また、本実施形態のコネクタ１では、屈曲端子３０ａにおける端子３０の屈曲の区間を接点部４１の後端部４１ａ（壁面２５側の端部）から延出部４２の前端部４２ａ（壁面２５側の端部）までの区間に限定することができる。そして、端子３０の屈曲の区間を限定することによって、端子３０の屈曲に伴うインピーダンス等の電気特性の変化を抑制することができ、電気信号の伝送特性を安定させ易くなる。
【００４９】
尚、近年、電子機器の小型・薄型化に伴って、電子機器に搭載されるコネクタにも薄型化が要求されるようになっている。そして、コネクタ１を薄型化する際には、突出部２６等も薄型化する必要が有る。そして、もしも、屈曲端子３０ａの屈曲部４４が垂直に屈曲していたなら、屈曲部４４の上下方向の寸法が大きくなって、突出部２６を薄型化し難くなる。それに対して、本実施形態のコネクタ１では、屈曲部４４の屈曲が緩やかなので、屈曲部４４の上下方向の寸法を小さくし易く、そして、突出部２６を薄型化し易くなる。このような構造のコネクタ１は薄型化できるため、電子機器を薄型化する際に好適である。
【００５０】
また、本実施形態のコネクタ１では、屈曲端子３０ａにおける端子３０の屈曲を第１傾斜部４４ａと第２傾斜部４４ｂによって緩やかにすることができる。そして、端子３０の緩やかな屈曲は曲げ加工等によって容易に実現することができるので、屈曲端子３０ａの加工が容易になる。また、端子３０の屈曲を緩やかにすることによって、端子３０の屈曲に伴うインピーダンス等の電気特性の急激な変化を抑制することができ、電気信号の伝送特性を更に安定させ易くなる。
【００５１】
また、通常、電源端子３１には、信号端子３２等の他の端子３０と比較して高い電圧が印加されるので、ショートが発生した場合のコネクタ１側の電子機器への影響が大きくなり易いが、本実施形態のコネクタ１では、電源端子３１が屈曲端子３０ａとなっているので、端子露出面２７の後端部２７ａに溜まった埃が電源端子３１と接触するのを避けることができる。そして、端子露出面２７の後端部２７ａに溜まった埃が電源端子３１と接触するのを避けることによって、端子露出面２７の後端部２７ａに溜まった埃を介して電源端子３１と他の端子３０との間でショートが発生するのを抑制することができる。
【００５２】
また、本実施形態のコネクタ１では、信号端子３２は、端子露出面２７の後端部２７ａ付近において端子３０が屈曲していない非屈曲端子３０ｂとなっているので、端子３０の屈曲に伴うインピーダンス等の電気特性の変化を避けることができ、高周波信号の伝送特性を安定させ易くなる。
【００５３】
また、本実施形態のコネクタ１では、電源端子３１が端子露出面２７の後端部２７ａ付近において端子３０の一部が突出部２６の内部に埋設されるように屈曲した屈曲端子３０ａとなっているので、端子露出面２７の後端部２７ａと近接するように第１接地電極５１が配設されていても、電源端子３１と第１接地電極５１との間のマイグレーションを発生し難くすることができる。そのため、このような屈曲端子３０ａの構造は、端子露出面２７の後端部２７ａと近接するように第１接地電極５１が配設されている場合に好適である。
【００５４】
尚、図示しないが、本実施形態のコネクタ１では、屈曲端子３０ａや非屈曲端子３０ｂの接点部４１は、端子露出面２７から上方にわずかに突出するように配設されており、接点部４１の突出部分の上端部が相手側のコネクタに設けられた図示しない接点部と接触するようになっている。そして、接点部４１の突出部分の側端部が合成樹脂等の絶縁体で覆われている。接点部４１をこのような構成とすることによって、端子露出面２７に水分が侵入しても、隣接する端子３０同士が水分を介して導通し難くなり、端子３０間のマイグレーションを発生し難くすることができる。
【００５５】
以上、本発明の実施形態について説明してきたが、本発明は上記の実施形態に限定されず、本発明の要旨を逸脱しない限りにおいて適宜変更することができる。
【００５６】
例えば、本発明の実施形態において、コネクタ１は、前述した以外の部材を更に備えていても構わない。また、電気信号を安定して伝送できるのであれば、接地電極５０は無くても構わない。また、所定の防水機能が確保できるのであれば、防水部材６０は無くても構わない。
【００５７】
また、本発明の実施形態において、コネクタ１の各部材の材質や形状を適宜変更しても構わない。例えば、ハウジング１０が角柱状の形状であっても構わない。また、絶縁部材２０の本体部２１が角柱状の形状であり、第１段差部２３や第２段差部２４が無くても構わない。そして、突出部２６が角柱状の本体部２１の一方の端部から直接前方に突出していても構わない。
【００５８】
また、本発明の実施形態において、絶縁部材２０の全体がハウジング１０の内部に配置されるのではなく、絶縁部材２０の一部のみがハウジング１０の内部に配置されていても構わない。
【００５９】
また、本発明の実施形態において、突出部２６の上面と下面とのうちの一方のみが端子露出面となっていても構わない。また、端子露出面２７の所定の位置には、溝等が設けられていても構わない。
【００６０】
また、本発明の実施形態において、端子３０の数や配列を適宜変更しても構わない。また、所定の機能を維持できるのであれば、屈曲端子３０ａの屈曲部４４の形状は前述した以外の形状であっても構わない。例えば、第１傾斜部４４ａの一部が曲線的に曲がっていても構わない。また、第２傾斜部４４ｂの一部が曲線的に曲がっていても構わない。
【００６１】
また、本発明の実施形態において、コネクタ１の端子３０を電源端子３１、信号端子３２、接地端子３３としているが、電子機器の設定を切り替えるための切り替え端子等のそれ以外の用途の端子として用いる、或いは追加しても良く、その場合にこれを屈曲端子３０ａとしても構わない。また、接地端子３３は、非屈曲端子３０ｂであっても構わない。
【符号の説明】
【００６２】
１  コネクタ
１０  ハウジング
１１  開口部
１２  収容部
２０  絶縁部材
２１  本体部
２２  被保持部
２３  第１段差部
２４  第２段差部
２５  壁面
２６  突出部
２７  端子露出面
２７ａ  後端部
２８  端子露出面
３０  端子
３０ａ  屈曲端子
３０ｂ  非屈曲端子
３１  電源端子
３２  信号端子
３３  接地端子
４１  接点部
４１ａ  後端部
４２  延出部
４２ａ  前端部
４３  端子部
４４  屈曲部
４４ａ  第１傾斜部
４４ｂ  第２傾斜部
４４ｃ  連結部
４５  連結部
５０  接地電極
５１  第１接地電極
５２  第２接地電極
６０  防水部材
【図１】
2017037724.tif 000003
【図２】
2017037724.tif 000004
【図３】
2017037724.tif 000005
【図４】
2017037724.tif 000006
【図５】
2017037724.tif 000007
【図６】
2017037724.tif 000008